(57)【要約】      （修正有）【課題】報知される情報の煩雑さを軽減することが可能となる決定システム、及び決定プログラムを提供する。【解決手段】決定システムにおける端末装置２は、その制御部２８において、複数のコンテンツが報知条件に該当した場合に、判定基準に基づいて、複数のコンテンツ各々が相互に類似するか否かを判定する類似判定部２８１と、類似判定部２８１の判定結果に基づいて、複数のコンテンツの報知態様を決定する決定部２８２と、を備える。類似判定部２８１は、コンテンツを報知する様式である報知様式に基づいて、判定基準を変更する変更手段を備え、報知様式が地図上において報知する様式である場合、位置情報に関する基準を判定基準として判定し、報知様式が画像を複数報知する様式である場合、画像に関する基準を判定基準として判定する。【選択図】図２
2020017057.tif 000002
【特許請求の範囲】
【請求項１】
複数のコンテンツが報知条件に該当した場合に、判定基準に基づいて、前記複数のコンテンツ各々が相互に類似するか否かを判定する類似判定手段と、
前記類似判定手段の判定結果に基づいて、前記複数のコンテンツの報知態様を決定する決定手段と、
を備える決定システム。
【請求項２】
コンテンツを報知する様式である報知様式に基づいて、前記判定基準を変更する変更手段、を備え、
前記類似判定手段は、前記変更手段が変更した前記判定基準に基づいて、前記複数のコンテンツ各々が相互に類似するか否かを判定する、
請求項１に記載の決定システム。
【請求項３】
コンテンツを報知する様式である報知様式が、地図上において報知する様式である場合、前記類似判定手段は、位置情報に関する基準を前記判定基準として判定する、
請求項１又は２に記載の決定システム。
【請求項４】
コンテンツを報知する様式である報知様式が、画像を複数報知する様式である場合、前記類似判定手段は、画像に関する基準を前記判定基準として判定する、
請求項１から３の何れか一項に記載の決定システム。
【請求項５】
前記複数のコンテンツには、前記複数のコンテンツの報知対象となるユーザが登録した第１コンテンツと、前記複数のコンテンツの報知対象とならない他のユーザが登録した第２コンテンツとを含み、
前記複数のコンテンツが前記第１コンテンツであるか前記第２コンテンツであるかを判定するコンテンツ判定手段、を備え、
前記決定手段は、前記類似判定手段の判定結果及び前記コンテンツ判定手段の判定結果に基づいて、前記複数のコンテンツの報知態様を決定する、
請求項１から４の何れか一項に記載の決定システム。
【請求項６】
コンピュータを、
複数のコンテンツが報知条件に該当した場合に、判定基準に基づいて、前記複数のコンテンツ各々が相互に類似するか否かを判定する類似判定手段と、
前記類似判定手段の判定結果に基づいて、前記複数のコンテンツの報知態様を決定する決定手段と、
として機能させる決定プログラム。
【発明の詳細な説明】
【技術分野】
【０００１】
本発明は、決定システム、及び決定プログラムに関する。
【背景技術】
【０００２】
従来、登録したスケジュールを報知する技術が知られていた（例えば、特許文献１）。この技術においては、登録されたスケジュールに設定された地点に接近した場合に、スケジュールを表示して報知していた。
【先行技術文献】
【特許文献】
【０００３】
【特許文献１】特開２００３−１３０６７２号公報
【発明の概要】
【発明が解決しようとする課題】
【０００４】
ところで、本願発明者は、特許文献１の技術のように、ユーザに情報を報知する場合、ユーザ自信が登録した情報のみならず、ユーザの家族が登録した情報も報知することが有益であることに想到した。
【０００５】
しかしながら、ユーザ自信が登録した情報及びユーザの家族が登録した情報を報知するように構成した場合、設定された地点に接近した場合に、複数の相互に重複した情報が報知されることになり、煩雑となる可能性があった。
【０００６】
本発明は、上記に鑑みてなされたものであって、報知される情報の煩雑さを軽減することが可能となる決定システム、及び決定プログラムを提供することを目的とする。
【課題を解決するための手段】
【０００７】
上述した課題を解決し、目的を達成するために、本発明に係る決定システムは、複数のコンテンツが報知条件に該当した場合に、判定基準に基づいて、前記複数のコンテンツ各々が相互に類似するか否かを判定する類似判定手段と、前記類似判定手段の判定結果に基づいて、前記複数のコンテンツの報知態様を決定する決定手段と、を備える。
【０００８】
また、本発明に係る決定プログラムは、コンピュータを、複数のコンテンツが報知条件に該当した場合に、判定基準に基づいて、前記複数のコンテンツ各々が相互に類似するか否かを判定する類似判定手段と、前記類似判定手段の判定結果に基づいて、前記複数のコンテンツの報知態様を決定する決定手段と、として機能させる。
【発明の効果】
【０００９】
本発明に係る決定システムによれば、複数のコンテンツ各々が相互に類似するか否かの判定結果に基づいて、複数のコンテンツの報知態様を決定することにより、例えば、複数のコンテンツ各々が相互に類似するか否かを考慮して報知態様を決定することができるので、ユーザに対して類似して重複した情報が相互に同じ態様で報知されることを防止することができ、報知される情報の煩雑さを軽減することが可能となる。
【００１０】
本発明に係る決定プログラムによれば、複数のコンテンツ各々が相互に類似するか否かの判定結果に基づいて、複数のコンテンツの報知態様を決定することにより、例えば、複数のコンテンツ各々が相互に類似するか否かを考慮して報知態様を決定することができるので、ユーザに対して類似して重複した情報が相互に同じ態様で報知されることを防止することができ、報知される情報の煩雑さを軽減することが可能となる。
【図面の簡単な説明】
【００１１】
【図１】本発明の実施の形態に係る情報システムを例示するブロック図である。
【図２】端末装置を例示するブロック図である。
【図３】コンテンツ情報を例示した図である。
【図４】ユーザ情報を例示した図である。
【図５】報知処理のフローチャートである。
【図６】地図情報にコンテンツに関する情報を重畳させて報知する報知様式での表示例である。
【図７】コンテンツに関する画像を一覧にて複数表示して報知する報知様式での表示例である。
【発明を実施するための形態】
【００１２】
以下、本発明に係る決定システム、及び決定プログラムの実施の形態について図面を参照しつつ詳細に説明する。ただし、実施の形態によって本発明が限定されるものではない。
【００１３】
本発明に係る決定システムは、複数のコンテンツの報知態様を決定するシステムであり、例えば、報知態様を決定する専用システム、あるいは、汎用的に用いられるコンピュータ（一例としては、ナビゲーションシステム、パーソナルコンピュータ、スマートフォン等の如き端末装置等）に対して報知態様を決定する機能を実装することにより実現されるシステム等を含む概念である。また、決定システムは、例えば、類似判定手段、及び決定手段を備え、任意で、変更手段、及びコンテンツ判定手段を備える。
【００１４】
ここで、「コンテンツ」とは、報知される情報であり、具体的には、自身で用いる情報、あるいは、他人と共有する情報等を含む概念であり、例えば、ユーザが行う又は行いたい行動に関連する情報、当該行動に関連する情報（計画の情報、合流のための情報、現地の情報等）、あるいは、これら以外の任意の情報を含む概念である。また、「コンテンツ」とは、例えば、コンテンツの報知対象（報知される者）となるユーザが登録した第１コンテンツと、コンテンツの報知対象とならない他のユーザが登録した第２コンテンツとを含む概念である。
【００１５】
また、「報知」とは、情報を知らせることであり、具体的には、情報を出力することであり、例えば、情報を表示出力すること、及び情報を音声出力すること等を含む概念である。「報知態様」とは、報知のあり様であり、具体的には、表示出力のありさま、及び音声出力のありさま等を含む概念であり、例えば、表示するか否か、表示サイズ、表示位置、表示順序、表示色、点滅表示、及び強調表示等を含む概念であり、また、音声出力するか否か、音声出力順序、及び音声ボリューム等を含む概念である。
【００１６】
また、「報知条件」とは、コンテンツを報知するための条件であり、具体的には、該当した場合にコンテンツを報知する条件であり、例えば、コンテンツに位置情報（コンテンツに関連する位置を特定する情報）が含まれている場合において、ユーザ（又はユーザが所有する端末装置）が、位置情報が特定する位置を基準にした所定距離（例えば、３００ｍ〜５００ｍ等）以内に近づいたという条件等を含む概念である。なお、この報知条件としては、ここで例示した条件以外の任意の条件（例えば、所定の時間（午前９時等）になったこと等）を適用してもよい。
【００１７】
また、「類似判定手段」とは、複数のコンテンツが報知条件に該当した場合に、判定基準に基づいて、複数のコンテンツ各々が相互に類似するか否かを判定する手段である。また、「類似判定手段」とは、例えば、変更手段が変更した判定基準に基づいて、複数のコンテンツ各々が相互に類似するか否かを判定する手段等を含む概念であり、また、コンテンツを報知する様式である報知様式が、地図上において報知する様式である場合、位置情報に関する基準を判定基準として判定する手段等を含む概念であり、また、コンテンツを報知する様式である報知様式が、画像を複数報知する様式である場合、画像に関する基準を判定基準として判定する。
【００１８】
また、「判定基準」とは、複数のコンテンツが相互に類似するか否かを判定するための基準であり、例えば、コンテンツの位置情報に関する基準、及びコンテンツの画像に関する基準等を含む概念である。
【００１９】
また、「コンテンツの位置情報に関する基準」とは、例えば、位置情報に着目して類似するか否かを判定する基準であり、例えば、各コンテンツの位置情報が特定する各位置の相互間の距離が所定距離（例えば、１０ｍ〜２０ｍ等）以下である場合に、類似しているものと判定する基準等を含む概念である。
【００２０】
また、「コンテンツの画像に関する基準」とは、例えば、画像に着目して類似するか否かを判定する基準であり、例えば、各コンテンツの画像について任意手法で画像認識を行い、認識された各画像に写っている像の形状について任意のアルゴリズムで一致度を演算し、一致度（百分率表示等）が所定値（例えば、８０％〜９０％等）以上である場合に、類似しているものと判定する基準等を含む概念である。なお、この「コンテンツの画像に関する基準」については、例えば、各コンテンツの画像の同色となる画素の数が所定割合以上である場合に、類似しているものと判定する等の、他の任意の条件を適用してもよい。
【００２１】
また、「報知様式」とは、コンテンツを報知する形式であり、例えば、地図上において報知する様式、及び画像を複数報知する様式等を含む概念であり、一例としては、地図情報にコンテンツに関する情報を重畳させて報知する様式、及びコンテンツに関する画像を一覧にて複数表示して報知する様式等を含む概念である。
【００２２】
また、「決定手段」とは、類似判定手段の判定結果に基づいて、複数のコンテンツの報知態様を決定する手段であり、例えば、類似判定手段の判定結果及びコンテンツ判定手段の判定結果に基づいて、複数のコンテンツの報知態様を決定する手段等を含む概念である。
【００２３】
また、「変更手段」とは、コンテンツを報知する様式である報知様式に基づいて、判定基準を変更する手段であり、また、「コンテンツ判定手段」とは、複数のコンテンツが第１コンテンツであるか第２コンテンツであるかを判定する手段である。
【００２４】
そして、以下に示す実施の形態では、「決定システム」が類似判定手段、決定手段、及びコンテンツ判定手段を備える場合について説明し、変更手段については、変形例にて説明する。
【００２５】
（構成）
まず、本実施の形態に係る情報システム１００について説明する。図１は、本発明の実施の形態に係る情報システムを例示するブロック図であり、図２は、端末装置を例示するブロック図である。情報システム１００は、決定システムを含むシステムであり、具体的には、コンテンツを共有するシステムであり、例えば、サーバ装置１、及び端末装置２を備える。なお、実際には、情報システム１００には、端末装置２が多数設けられているが、ここでは、説明の便宜上、２個の端末装置２として端末装置２０１、２０２を図示して説明する。なお、これらの端末装置２０１、２０２については、相互に区別する必要がない場合には、端末装置２と総称して説明する。
【００２６】
（構成−サーバ装置）
サーバ装置１は、例えば、図１に示すように、通信部１１、データ記録部１２、及び制御部１３を備える。
【００２７】
（構成−サーバ装置−通信部）
通信部１１は、ネットワーク（図示省略）を介して外部装置（例えば、端末装置２等）との間で通信するための通信手段である。この通信部１１の具体的な種類や構成は任意であるが、例えば、公知の有線又は無線通信回路等を備えて構成することができる。
【００２８】
（構成−サーバ装置−データ記録部）
データ記録部１２は、サーバ装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２９】
また、このデータ記録部１２は、地図情報データベース（以下、データベースを「ＤＢ」と称する）１２１、コンテンツ情報ＤＢ１２２、及びユーザ情報ＤＢ１２３を備える。
【００３０】
（構成−サーバ装置−データ記録部−地図情報ＤＢ）
地図情報ＤＢ１２１は、地図情報を格納する地図情報格納手段である。ここで、「地図情報」とは、ユーザに対して地図を提示するための情報であり、具体的には、道路、道路の交差点、道路構造物、施設等を含む各種の位置の特定に必要な情報であり、例えば、道路上に設定された各ノードに関するノードデータ（例えばノードＩＤ、座標等）や、道路上に設定された各リンクに関するリンクデータ（例えばリンクＩＤ（なお、リンクＩＤは地図情報の位置を特定する座標に関連付けられている）、リンク名、接続ノードＩＤ、道路座標、道路種別（例えば、細街路、一般道路、主要国道、及び高速道路等）、道路幅、道路に設けられている車線数、道路に設けられている各車線を一意に識別する車線ＩＤ、道路の進行方向等）、地物データ（例えば信号機、道路標識、ガードレール、施設等）、地形データ等を含んで構成されている。そして、このような地図情報ＤＢ１２１の地図情報については、任意の手法で記録されるが、例えば、所定の記録媒体を介して入力することにより記録されたり、不図示の配信センターから配信された情報を受信することにより記録されたりする（後述する地図情報ＤＢ２７１の地図情報も同様とする）。
【００３１】
（構成−サーバ装置−データ記録部−コンテンツ情報ＤＢ）
コンテンツ情報ＤＢ１２２は、コンテンツ情報を格納するコンテンツ情報格納手段である。ここで、「コンテンツ情報」とは、コンテンツを特定する情報である。図３は、コンテンツ情報を例示した図である。なお、図３における「・・・」については、実際には情報が格納されているが、説明の便宜上、図示を省略していることを表している（他の各図も同様とする）。この図３に示すように、コンテンツ情報は、例えば、項目「コンテンツＩＤ」、項目「ユーザＩＤ」、項目「テキスト情報」、項目「画像情報」、及び項目「位置情報」と、各項目に対応する情報とを相互に関連付けて格納している。項目「コンテンツＩＤ」に対応する情報は、コンテンツを一意に識別すコンテンツ識別情報（以下、識別情報を「ＩＤ」と称する）である（図３では、「ＩＤｃ００１」等）。項目「ユーザ情報」に対応する情報は、コンテンツを登録したユーザである登録者を特定するユーザＩＤである（図３では、端末装置２０１のユーザを識別する「ＩＤｕ１」、及び端末装置２０２のユーザを識別する「ＩＤｕ２」等）。項目「テキスト情報」に対応する情報は、テキストを特定するテキスト情報である（図３では、「百貨店で買い物」等）。項目「画像情報」に対応する情報は、画像を特定する画像情報である（図３では、画像ファイルであり「Ｆｉｌｅ００１−ｊｐｇ」等）。項目「位置情報」に対応する情報は、地図上の位置を特定する位置情報である（図３では、コンテンツ情報に関連する場所としてユーザが指定した位置等であり、地図情報ＤＢ１２１の地図情報が特定する地図上の座標であり「（ｘ１，ｙ１）」等）。なお、この座標である「（ｘ１，ｙ１）」等については、便宜上の記載であることとする。
【００３２】
そして、このようなコンテンツ情報ＤＢ１２２のコンテンツ情報については、任意の手法で記録されるが、例えば、情報システム１００のユーザが、自己のユーザＩＤを入力して自己の端末装置２にログインした上で、当該端末装置２にてコンテンツ情報の対応する情報（テキスト情報、画像情報、及び位置情報）を生成し、当該生成した情報をログイン時に入力したユーザＩＤと共に、サーバ装置１に送信することにより、記録される。特に、位置情報については、ディスプレイ２３に地図を表示させた上で、タッチパッド２２にて当該地図上の自己が指定する位置をタップした場合に、端末装置２の制御部２８が、当該指定した位置に対応する座標を特定し、特定した座標に対応する位置情報を生成することとしてもよい。また、コンテンツＩＤについては、サーバ装置１の制御部１３が、一意となる情報を生成して格納することとしてもよい。
【００３３】
（構成−サーバ装置−データ記録部−ユーザ情報ＤＢ）
ユーザ情報ＤＢ１２３は、ユーザ情報を格納するユーザ情報格納手段である。ここで、「ユーザ情報」とは、ユーザを特定する情報である。図４は、ユーザ情報を例示した図である。この図４に示すように、ユーザ情報は、例えば、項目「ユーザＩＤ」、及び項目「グループＩＤ」と、各項目に対応する情報とを相互に関連付けて格納している。なお、項目「ユーザＩＤ」に対応する情報は、図３の同一名称の情報と同様である。項目「グループＩＤ」に対応する情報は、ユーザのグループを識別するグループＩＤである（図４では、ユーザの家族単位のグループであり「ＩＤｇ１」等）。そして、このようなユーザ情報ＤＢ１２３のユーザ情報については、任意の手法で記録されるが、例えば、管理者がサーバ装置１の不図示の入力手段にて入力することにより格納したり、あるいは、メモリスティックの如き記録媒体を介して入力することにより格納したりすることとする。
【００３４】
（構成−サーバ装置−制御部）
制御部１３は、サーバ装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（端末装置２の制御部２８も同様とする）。特に、実施の形態に係るプログラムは、任意の記録媒体又はネットワークを介してサーバ装置１にインストールされることで、制御部１３の各部を実質的に構成する（端末装置２の制御部２８も同様とする）。なお、制御部１３の各部により行われる処理については、後述する。
【００３５】
（構成‐端末装置）
端末装置２は、決定システムであって、携帯端末であり、例えば、図２に示すように、通信部２１、タッチパッド２２、ディスプレイ２３、位置検出部２４、カメラ２５、スピーカ２６、データ記録部２７、及び制御部２８を備える。
【００３６】
（構成‐端末装置‐通信部）
通信部２１は、ネットワーク（図示省略）を介して外部装置（例えば、サーバ装置１又はインターネット上の他の任意のサーバ装置等）との間で通信するための通信手段である。この通信部２１の具体的な構成は任意であるが、例えば、サーバ装置１の通信部１１と同様にして構成することができる。
【００３７】
（構成‐端末装置‐タッチパッド）
タッチパッド２２は、ユーザの指等で押圧されることにより、当該ユーザから各種操作入力を受け付ける操作手段である。このタッチパッド２２の具体的な構成は任意であるが、例えば、抵抗膜方式や静電容量方式等による操作位置検出手段を備えた公知のものを用いることができる。
【００３８】
（構成‐端末装置‐ディスプレイ）
ディスプレイ２３は、制御部２８の制御に基づいて各種の画像を表示する画像表示手段である。このディスプレイ２３の具体的な構成は任意であるが、例えば、公知の液晶ディスプレイや有機ＥＬディスプレイの如きフラットパネルディスプレイ等を用いることができる。なお、上記のタッチパッド２２とディスプレイ２３とをタッチパネルとして一体形成しても構わない。
【００３９】
（構成‐端末装置‐位置検出部）
位置検出部２４は、端末装置２の現在位置（例えば、地図上の座標）を取得する現在位置取得手段である。この位置検出部２４の具体的な構成は任意であるが、例えば、ＧＰＳやジャイロセンサ（方位を測定する手段）、距離センサ（いずれも図示省略）を有し、現在の端末装置２の位置（座標）及び方位等を公知の方法にて検出する。
【００４０】
（構成‐端末装置‐カメラ）
カメラ２５は、撮像を行って画像を取得する撮像手段である。このカメラ２５が撮像した画像は制御部２８に入力されて、データ記録部２７に適宜記録される。カメラ２５の具体的な構成は任意で、例えばＣＭＯＳイメージセンサやＣＣＤイメージセンサ等の公知の撮像素子、及び魚眼レンズやプリズム等の公知の光学系部品を用いて構成されている。
【００４１】
（構成‐端末装置‐スピーカ）
スピーカ２６は、音声を出力する音声出力手段である。このスピーカ２６の具体的な構成は任意で、例えば、振動板やコイル等を備えて構成されている。
【００４２】
（構成‐端末装置‐データ記録部）
データ記録部２７は、端末装置２の動作に必要なプログラム及び各種のデータを記録する記録手段であり、例えば、地図情報ＤＢ２７１を備える。
【００４３】
（構成−端末装置−データ記録部−地図情報ＤＢ）
地図情報ＤＢ２７１は、地図情報を格納する地図情報格納手段であり、例えば、サーバ装置１の地図情報ＤＢ１２１と同様にして構成することができる。
【００４４】
（構成−端末装置−制御部）
制御部２８は、端末装置２を制御する制御手段である。この制御部２８は、例えば、機能概的に、類似判定部２８１、決定部２８２、及びコンテンツ判定部２８３を備える。類似判定部２８１は、複数のコンテンツが報知条件に該当した場合に、判定基準に基づいて、複数のコンテンツ各々が相互に類似するか否かを判定する類似判定手段である。決定部２８２は、類似判定部２８１の判定結果に基づいて、複数のコンテンツの報知態様を決定する決定手段である。コンテンツ判定部２８３は、複数のコンテンツが第１コンテンツであるか第２コンテンツであるかを判定するコンテンツ判定手段である。なお、この制御部２８の各部により行われる処理については、後述する。
【００４５】
（処理）
次に、このように構成される情報システム１００によって実行される報知処理について説明する。図５は、報知処理のフローチャートであり（以下の各処理の説明ではステップを「Ｓ」と略記する）、図６及び図７は、端末装置のディスプレイの画面の表示例である。なお、図６は、地図情報にコンテンツに関する情報を重畳させて報知する報知様式（以下、地図報知様式）での表示例であり、図７は、コンテンツに関する画像を一覧にて複数表示して報知する報知様式（以下、一覧報知様式）での表示例である。報知処理は、概略的には、端末装置２にて行われる処理であり、具体的には、コンテンツ情報を報知する処理である。この報知処理を実行するタイミングは任意であるが、例えば、以下の場合に起動されて実行を開始することとして説明する。
【００４６】
具体的には、まず、端末装置２のユーザが、自己のユーザＩＤを端末装置２に入力した上で、任意の報知様式の画面を表示した場合に、制御部２８が、コンテンツ情報送信要求信号を生成して繰り返しサーバ装置１に送信することとする。なお、コンテンツ情報送信要求信号とは、前述の報知条件（ユーザ（又はユーザが所有する端末装置２）が、コンテンツ情報の位置情報が特定する位置を基準にした所定距離（例えば、３００ｍ〜５００ｍ等）以内に近づいたという条件）に合致したコンテンツ情報の送信を要求する信号であり、例えば、前述の入力されたユーザＩＤ、及び位置検出部２４が取得した現在位置を含む信号である。
【００４７】
ここでは、例えば、端末装置２０１のユーザが「ＩＤｕ１」を入力した上で、「地図報知様式」又は「一覧報知様式」の何れかの画面を表示した場合に、制御部２８が、「ＩＤｕ１」及び端末装置２０１の現在位置を含むコンテンツ情報送信要求信号を生成して繰り返しサーバ装置１に送信する。
【００４８】
一方、サーバ装置１の制御部１３は、端末装置２からのコンテンツ情報送信要求信号を受信した場合、受信したコンテンツ情報送信要求信号に含まれるユーザＩＤ及び端末装置２の現在位置を取得し、図３のコンテンツ情報において、取得したユーザＩＤの属するグループＩＤ（図４参照）に含まれるユーザＩＤに対応するコンテンツ情報を特定し、特定したコンテンツ情報毎に以下の処理を行う。具体的には、地図情報ＤＢ１２１の地図情報が特定する地図を参照して、前述の特定した各コンテンツ情報に対応する位置情報が特定する各位置と、前述の取得した現在位置とを特定する。この後、位置情報が特定する位置と、取得した現在位置との間の距離が所定距離以内となっているコンテンツ情報が存在する場合、当該コンテンツ情報について、報知条件に該当するものと判定し、当該コンテンツ情報を、前述の取得したユーザＩＤに対応する端末装置２に送信することとする。
【００４９】
ここでは、例えば、端末装置２０１の現在位置と、図３の「位置座標」＝「（ｘ１，ｙ１）」及び「（ｘ１０，ｙ１０）」との間の距離が所定距離以内となっている場合を例示して説明する。この場合、サーバ装置１の制御部１３は、端末装置２０１から所定時間毎に繰り返し送信されるユーザＩＤである「ＩＤｕ１」及び現在位置を取得し、図３のコンテンツ情報において、取得したユーザＩＤである「ＩＤｕ１」の属するグループＩＤに対応するコンテンツ情報（図４の「ユーザＩＤ」＝「ＩＤｕ１」の属する「グループＩＤ」＝「ＩＤｇ１」に対応付けられている「ユーザＩＤ」＝「ＩＤｕ１」、「ＩＤｕ２」に対応するコンテンツ情報である「コンテンツＩＤ」＝「ＩＤｃ００１」、「ＩＤｃ００２」、「ＩＤｃ０１１」に対応するコンテンツ情報）を特定し、これらのコンテンツ情報が報知条件に該当しているものと判定し、当該コンテンツ情報を、前述の取得したユーザＩＤである「ＩＤｕ１」に対応する端末装置２０１に送信する。
【００５０】
一方、端末装置２の制御部２８は、このサーバ装置１からのコンテンツ情報を受信した場合に、報知処理の実行を開始する。ここでは、例えば、端末装置２０１の制御部２８は、図３の「コンテンツＩＤ」＝「ＩＤｃ００１」、「ＩＤｃ００２」、「ＩＤｃ０１１」に対応するコンテンツ情報を受信した場合に、報知処理の実行を開始する。
【００５１】
図５のＳＡ１において制御部２８は、コンテンツ情報を取得する。具体的には任意であるが、例えば、報知処理を起動する場合に受信したコンテンツ情報を取得する。ここでは、例えば、図３の「コンテンツＩＤ」＝「ＩＤｃ００１」、「ＩＤｃ００２」、「ＩＤｃ０１１」に対応するコンテンツ情報を取得する。
【００５２】
図５のＳＡ２において制御部２８は、コンテンツ情報が複数存在するか否かを判定する。具体的には任意であるが、例えば、ＳＡ１で取得したコンテンツ情報の個数を計数し、計数結果が１個である場合、複数存在しないものと判定し（ＳＡ２のＮＯ）、ＳＡ７に移行する。また、計数結果が２個以上でる場合、複数存在するものと判定し（ＳＡ２のＹＥＳ）、ＳＡ３に移行する。ここでは、例えば、ＳＡ１で取得したコンテンツ情報が、図３の「コンテンツＩＤ」＝「ＩＤｃ００１」、「ＩＤｃ００２」、「ＩＤｃ０１１」に対応するコンテンツ情報であるので、複数存在するものと判定する。
【００５３】
図５のＳＡ３において類似判定部２８１は、ＳＡ１で取得したコンテンツ情報において、相互に類似しているコンテンツ情報があるか否かを判定する。
【００５４】
具体的には任意であるが、例えば、まず、ＳＡ１で取得したコンテンツ情報について、判定基準に基づいて、複数のコンテンツ情報各々が相互に類似するか否かを判定する。ここで用いられる判定基準は任意であるが、例えば、報知処理を起動する場合に表示した画面の報知様式が地図報知様式である場合、「コンテンツの位置情報に関する基準」を用い、また、報知処理を起動する場合に表示した画面の報知様式が一覧報知様式である場合、「コンテンツの画像に関する基準」を用いることとする。
【００５５】
具体的には、「コンテンツの位置情報に関する基準」にて判定する場合、図３のコンテンツ情報の位置情報に着目して、位置情報が特定する各位置の相互間の距離が所定距離（例えば、１０ｍ〜２０ｍ等）以下であるコンテンツ情報同士については、相互に類似するものと判定し、一方、位置情報が特定する各位置の相互間の距離が所定距離（例えば、１０ｍ〜２０ｍ等）より大きいコンテンツ情報同士については、相互に類似しないものと判定する。ここでは、例えば、報知処理を起動する場合に表示した画面の報知様式が地図報知様式である場合、図３の「コンテンツＩＤ」＝「ＩＤｃ００１」、「ＩＤｃ０１１」に対応するコンテンツ情報については、相互に類似するものと判定し、「コンテンツＩＤ」＝「ＩＤｃ００２」のコンテンツ情報については、相互に類似しないものと判定することとして、以下説明する。
【００５６】
また、「コンテンツの画像に関する基準」にて判定する場合、図３のコンテンツ情報の画像情報に着目して、各画像情報の画像について任意手法で画像認識を行い、認識された各画像に写っている像の形状について任意のアルゴリズムで一致度を演算し、一致度（百分率表示等）が所定値（例えば、８０％〜９０％等）以上であるコンテンツ情報同士については、相互に類似するものと判定し、一方、一致度が所定値未満であるコンテンツ情報同士については、相互に類似しないものと判定する。ここでは、例えば、報知処理を起動する場合に表示した画面の報知様式が一覧報知様式である場合、図３の「コンテンツＩＤ」＝「ＩＤｃ００１」、「ＩＤｃ００２」、「ＩＤｃ０１１」に対応するコンテンツ情報については、相互に類似しないものと判定することとして、以下説明する。
【００５７】
次に、前述の判定において、相互に類似するものと判定したコンテンツ情報が存在しない場合、ＳＡ１で取得したコンテンツ情報において、相互に類似しているコンテンツ情報がないものと判定し（ＳＡ３のＮＯ）、ＳＡ８に移行する。また、前述の判定において、相互に類似するものと判定したコンテンツ情報が存在する場合、ＳＡ１で取得したコンテンツ情報において、相互に類似しているコンテンツ情報があるものと判定し（ＳＡ３のＹＥＳ）、ＳＡ４に移行する。ここでは、例えば、報知処理を起動する場合に表示した画面の報知様式が地図報知様式である場合、相互に類似しているコンテンツ情報があるものと判定し、また、報知処理を起動する場合に表示した画面の報知様式が一覧報知様式である場合、相互に類似しているコンテンツ情報がないものと判定する。
【００５８】
図５のＳＡ４においてコンテンツ判定部２８３は、報知対象となるユーザが登録したコンテンツ情報が含まれているか否かを判定する。なお、ここでの「報知対象となるユーザ」とは、コンテンツ情報送信要求信号を送信した端末装置２０１のユーザであり、「ＩＤｕ１」のユーザである。ＳＡ４について具体的には任意であるが、例えば、まず、ＳＡ３で相互に類似するものと判定したコンテンツ情報を特定し、特定したコンテンツ情報について、報知対象となるユーザが登録したコンテンツ情報であるか否かを判定する（つまり、第１コンテンツであるか第２コンテンツであるかを判定する）。詳細には、当該特定したコンテンツ情報について図３のコンテンツ情報のユーザＩＤを取得し、取得したユーザＩＤがコンテンツ情報送信要求信号に含まれるユーザＩＤと合致する場合に、当該特定したコンテンツ情報は、報知対象となるユーザが登録したコンテンツ情報であるものと判定し（つまり、第１コンテンツであるものと判定する）、一方、取得したユーザＩＤがコンテンツ情報送信要求信号に含まれるユーザＩＤと合致しない場合に、当該特定したコンテンツ情報は、報知対象となるユーザが登録したコンテンツ情報でないものと判定する（つまり、第２コンテンツであるものと判定する）。次に、この判定結果において、報知対象となるユーザが登録したコンテンツ情報であるものと判定されたコンテンツ情報が１個もなかった場合、報知対象となるユーザが登録したコンテンツ情報が含まれていないものと判定し（ＳＡ４のＮＯ）、ＳＡ９に移行する。また、報知対象となるユーザが登録したコンテンツ情報であるものと判定されたコンテンツ情報が少なくとも１個以上あった場合、報知対象となるユーザが登録したコンテンツ情報が含まれているものと判定し（ＳＡ４のＹＥＳ）、ＳＡ５に移行する。
【００５９】
ここでは、例えば、報知処理を起動する場合に表示した画面の報知様式が地図報知様式である場合、図３の「コンテンツＩＤ」＝「ＩＤｃ００１」に対応するコンテンツ情報のユーザＩＤである「ＩＤｕ１」が、コンテンツ情報送信要求信号に含まれるユーザＩＤと合致するので、この場合、報知対象となるユーザが登録したコンテンツ情報が含まれているものと判定する。
【００６０】
図５のＳＡ５において決定部２８２は、ＳＡ１で取得したコンテンツ情報について、報知態様を決定する。具体的には任意であるが、例えば、報知するか否かを報知態様として決定する場合について説明する（他のステップで決定する報知態様も同様とする）。詳細には、ＳＡ３にて、一部のコンテンツ情報については、相互に類似しないものと判定した可能性があるが、この一部のコンテンツ情報については、従来と同様にして、報知することと決定する。また、ＳＡ３にて、相互に類似するものと判定されたコンテンツ情報については、重複した報知を避けるために、相互に類似しているもののうち１個のみを報知するものと決定する（つまり、その他のコンテンツ情報については、報知しないものと決定する）。より詳細には、相互に類似しているもののうち、報知対象となるユーザが登録したコンテンツ情報が存在する場合、このコンテンツ情報のうちの１個のみを報知するものと決定する。
【００６１】
ここでは、例えば、報知処理を起動する場合に表示した画面の報知様式が地図報知様式である場合、図３の「コンテンツＩＤ」＝「ＩＤｃ００１」に対応するコンテンツ情報については、報知するものと決定し、一方、「コンテンツＩＤ」＝「ＩＤｃ０１１」に対応するコンテンツ情報については、報知しないものと決定する。また、図３の「コンテンツＩＤ」＝「ＩＤｃ００２」に対応するコンテンツ情報については、ＳＡ３にて相互に類似しないものと判定したので、従来と同様にして、報知するものと決定する。
【００６２】
図５のＳＡ６において制御部２８は、コンテンツ情報を報知する。具体的には任意であるが、例えば、決定されている報知態様にてコンテンツ情報を表示して報知する。
【００６３】
詳細には、報知処理を起動する場合に表示した画面の報知様式が地図報知様式である場合、地図情報ＤＢ２７１の地図情報を取得し、取得した地図情報が特定する地図を、ディスプレイ２３に表示した上で、当該地図上における図３のコンテンツ情報の位置情報が特定する位置に、当該コンテンツ情報の画像情報が特定する画像を、決定されている報知態様にて報知する。また、報知処理を起動する場合に表示した画面の報知様式が一覧報知様式である場合、決定されている報知態様にてコンテンツ情報を一覧表示する。
【００６４】
ここでは、例えば、ＳＡ５で例示したように報知態様を決定した場合、図６に図示するように、図３の「位置情報」＝「（ｘ１，ｙ１）」に対応する百貨店に対応する位置に、「画像情報」＝「Ｆｉｌｅ００１−ｊｐｇ」の画像であるコンテンツ画像Ｇ１を表示し、また、図３の「位置情報」＝「（ｘ１０，ｙ１０））」に対応するレストランに対応する位置に、「画像情報」＝「Ｆｉｌｅ００２−ｊｐｇ」の画像であるコンテンツ画像Ｇ２を表示する。また、位置検出部２４が検出した端末装置２の現在位置を取得し、取得した現在位置に対応する位置に、図６に図示するように、現在位置画像Ｇ１００を表示する。なお、この場合、図３の「画像情報」＝「Ｆｉｌｅ０１１−ｊｐｇ」の画像は表示されないことになる。
【００６５】
一方、ＳＡ２においてコンテンツ情報が複数存在しないものと判定した（ＳＡ２のＮＯ）後のＳＡ７、及びＳＡ３において相互に類似しているコンテンツ情報がないものと判定した（ＳＡ３のＮＯ）後のＳＡ８において、決定部２８２は、ＳＡ１で取得した全てのコンテンツ情報について、報知態様を決定する。具体的には任意であるが、例えば、従来と同様にして、報知することと決定し、ＳＡ６に移行する。
【００６６】
ここでは、例えば、報知処理を起動する場合に表示した画面の報知様式が一覧報知様式である場合、ＳＡ３において図３の「コンテンツＩＤ」＝「ＩＤｃ００１」、「ＩＤｃ００２」、「ＩＤｃ０１１」に対応するコンテンツ情報については、相互に類似しないものと判定するので、ＳＡ８において、これらのコンテンツ情報全てを報知することと決定する。そして、この後のＳＡ６において制御部２８は、図７に図示するように、前述のコンテンツ画像Ｇ１、Ｇ２に加えて、図３の、「画像情報」＝「Ｆｉｌｅ０１１−ｊｐｇ」の画像であるコンテンツ画像Ｇ１１を表示して報知する。
【００６７】
一方、ＳＡ４において報知対象となるユーザが登録したコンテンツ情報が含まれていないものと判定した（ＳＡ４のＮＯ）後のＳＡ９において、決定部２８２は、ＳＡ１で取得したコンテンツ情報について、報知態様を決定する。具体的には任意であるが、例えば、ＳＡ３にて、一部のコンテンツ情報については、相互に類似しないものと判定した可能性があるが、この一部のコンテンツ情報については、従来と同様にして、報知することと決定する。また、ＳＡ３にて、相互に類似しないものと判定されたコンテンツ情報については、重複した報知を避けるために、相互に類似しているもののうち１個のみを報知するものと決定し、前述のＳＡ６に移行する。これにて、出力処理を終了する。
【００６８】
（実施の形態の効果）
このように本実施の形態によれば、複数のコンテンツ各々が相互に類似するか否かの判定結果に基づいて、複数のコンテンツの報知態様を決定することにより、例えば、複数のコンテンツ各々が相互に類似するか否かを考慮して報知態様を決定することができるので、ユーザに対して類似して重複した情報が相互に同じ態様で報知されることを防止することができ、報知される情報の煩雑さを軽減することが可能となる。
【００６９】
また、報知様式が地図上において報知する様式である場合、位置情報に関する基準を判定基準として判定することにより、例えば、地図上にて重複した地点にコンテンツが複数表示されて煩雑となるのを防止することが可能となる。
【００７０】
また、報知様式が画像を複数報知する様式である場合、判定基準を、画像に関する基準を判定基準として判定することにより、例えば、相互に類似する画像のコンテンツが一覧において複数表示されて煩雑となるのを防止することも可能となる。
【００７１】
また、複数のコンテンツの報知対象となるユーザが登録した第１コンテンツであるか他のユーザが登録した第２コンテンツであるかの判定結果に基づいて、複数のコンテンツの報知態様を決定することにより、例えば、コンテンツが報知されるユーザ自身が登録したコンテンツであるか否かを考慮して、コンテンツの報知態様を決定することができるので、当該ユーザ自身が登録したコンテンツのみを報知したり、あるいは、他のユーザが登録したコンテンツのみを報知したりすることが可能となる。
【００７２】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００７３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、端末装置２の機能の少なくとも一部をサーバ装置１に設けた上で、端末装置２とサーバ装置１とが相互に通信を行うことにより、実施の形態と同様な処理を行うように構成してもよい。また、逆に、サーバ装置１の機能の少なくとも一部をサーバ装置１に設けてもよい。また、サーバ装置１又は端末装置２の少なくとも一部の機能を車載用のナビゲーションシステムに組み込んでもよい。
【００７５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７６】
（変更部について）
また、上記実施の形態の端末装置２の制御部２８に、変更部を設けてもよい。「変更部」とは、前述の変更手段である。この変更部の具体的な実装手法は任意であるが、例えば、データ記録部２７に対して、「コンテンツの位置情報に関する基準」を特定する第１基準情報、及び、「コンテンツの画像に関する基準」を特定する第２基準情報が記録されていることとし、以下の処理を行うように実装してもよい。具体的には、ＳＡ３において、変更部が、現在ディスプレイ２３に表示されている報知様式を任意の手法（例えば、いずれの報知様式が表示されているかを示す情報がデータ記録部２７に記録されており、記録されている当該情報を利用して特定する手法等）で特定し、特定した報知様式が「地図報知様式」である場合、第１基準情報を取得した上で、判定基準を当該取得した第１基準情報が特定する「コンテンツの位置情報に関する基準」に変更し、一方、特定した報知様式が「一覧報知様式」である場合、第２基準情報を取得した上で、判定基準を当該取得した第２基準情報が特定する「コンテンツの画像に関する基準」に変更する。この後、類似判定部２８１が、変更部にて変更された後の判定基準を用いて、ＳＡ１で取得したコンテンツ情報において、相互に類似しているコンテンツ情報があるか否かを判定する。このように構成した場合、報知様式に基づいて判定基準を変更することにより、例えば、報知様式に対応する適切な判定基準を用いて、複数のコンテンツ各々が相互に類似するか否かを判定することができるので、報知様式に対応する適切な判定を行うことが可能となる。
【００７７】
（判定基準について）
また、上記実施の形態では、報知様式に応じて判定基準を変更する場合を説明したが、これに限らず、例えば、報知様式に関わらず、「コンテンツの位置情報に関する基準」を判定基準として用いたり、あるいは、コンテンツの画像に関する基準」を判定基準として用いたりするように構成してもよい。
【００７８】
（報知態様について）
また、上記実施の形態では、図５のＳＡ５において決定部２８２が、相互に類似しているコンテンツ情報のうち、報知対象となるユーザが登録したコンテンツ情報が存在する場合、このコンテンツ情報（第１コンテンツ）のうちの１個のみを報知するものと決定するものと説明したが、これに限らない。例えば、第１コンテンツを報知しないものと決定し、第２コンテンツを報知するものと決定してもよい。
【００７９】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００８０】
実施の形態の１つの側面１に係る決定システムは、複数のコンテンツが報知条件に該当した場合に、判定基準に基づいて、前記複数のコンテンツ各々が相互に類似するか否かを判定する類似判定手段と、前記類似判定手段の判定結果に基づいて、前記複数のコンテンツの報知態様を決定する決定手段と、を備える。
【００８１】
上記側面１に係る決定システムによれば、複数のコンテンツ各々が相互に類似するか否かの判定結果に基づいて、複数のコンテンツの報知態様を決定することにより、例えば、複数のコンテンツ各々が相互に類似するか否かを考慮して報知態様を決定することができるので、ユーザに対して類似して重複した情報が相互に同じ態様で報知されることを防止することができ、報知される情報の煩雑さを軽減することが可能となる。
【００８２】
実施の形態の他の側面２に係る決定システムは、上記側面１に係る決定システムにおいて、コンテンツを報知する様式である報知様式に基づいて、前記判定基準を変更する変更手段、を備え、前記類似判定手段は、前記変更手段が変更した前記判定基準に基づいて、前記複数のコンテンツ各々が相互に類似するか否かを判定する。
【００８３】
上記側面２に係る決定システムによれば、報知様式に基づいて判定基準を変更することにより、例えば、報知様式に対応する適切な判定基準を用いて、複数のコンテンツ各々が相互に類似するか否かを判定することができるので、報知様式に対応する適切な判定を行うことが可能となる。
【００８４】
実施の形態の他の側面３に係る決定システムは、上記側面１又は２に係る決定システムにおいて、コンテンツを報知する様式である報知様式が、地図上において報知する様式である場合、前記類似判定手段は、位置情報に関する基準を前記判定基準として判定する。
【００８５】
上記側面３に係る決定システムによれば、報知様式が地図上において報知する様式である場合、位置情報に関する基準を判定基準として判定することにより、例えば、地図上にて重複した地点にコンテンツが複数表示されて煩雑となるのを防止することが可能となる。
【００８６】
実施の形態の他の側面４に係る決定システムは、上記側面１から３の何れかに係る決定システムにおいて、コンテンツを報知する様式である報知様式が、画像を複数報知する様式である場合、前記類似判定手段は、画像に関する基準を前記判定基準として判定する。
【００８７】
上記側面４に係る決定システムによれば、報知様式が画像を複数報知する様式である場合、判定基準を、画像に関する基準を判定基準として判定することにより、例えば、相互に類似する画像のコンテンツが一覧において複数表示されて煩雑となるのを防止することも可能となる。
【００８８】
実施の形態の他の側面５に係る決定システムは、上記側面１から４の何れかに係る決定システムにおいて、前記複数のコンテンツには、前記複数のコンテンツの報知対象となるユーザが登録した第１コンテンツと、前記複数のコンテンツの報知対象とならない他のユーザが登録した第２コンテンツとを含み、前記複数のコンテンツが前記第１コンテンツであるか前記第２コンテンツであるかを判定するコンテンツ判定手段、を備え、前記決定手段は、前記類似判定手段の判定結果及び前記コンテンツ判定手段の判定結果に基づいて、前記複数のコンテンツの報知態様を決定する。
【００８９】
上記側面５に係る決定システムによれば、複数のコンテンツの報知対象となるユーザが登録した第１コンテンツであるか他のユーザが登録した第２コンテンツであるかの判定結果に基づいて、複数のコンテンツの報知態様を決定することにより、例えば、コンテンツが報知されるユーザ自身が登録したコンテンツであるか否かを考慮して、コンテンツの報知態様を決定することができるので、当該ユーザ自身が登録したコンテンツのみを報知したり、あるいは、他のユーザが登録したコンテンツのみを報知したりすることが可能となる。
【００９０】
実施の形態の１つの側面６に係る決定プログラムは、コンピュータを、複数のコンテンツが報知条件に該当した場合に、判定基準に基づいて、前記複数のコンテンツ各々が相互に類似するか否かを判定する類似判定手段と、前記類似判定手段の判定結果に基づいて、前記複数のコンテンツの報知態様を決定する決定手段と、として機能させる。
【００９１】
上記側面６に係る決定プログラムによれば、複数のコンテンツ各々が相互に類似するか否かの判定結果に基づいて、複数のコンテンツの報知態様を決定することにより、例えば、複数のコンテンツ各々が相互に類似するか否かを考慮して報知態様を決定することができるので、ユーザに対して類似して重複した情報が相互に同じ態様で報知されることを防止することができ、報知される情報の煩雑さを軽減することが可能となる。
【符号の説明】
【００９２】
１  サーバ装置
２  端末装置
１１  通信部
１２  データ記録部
１３  制御部
２１  通信部
２２  タッチパッド
２３  ディスプレイ
２４  位置検出部
２５  カメラ
２６  スピーカ
２７  データ記録部
２８  制御部
１００  情報システム
１２１  地図情報ＤＢ
１２２  コンテンツ情報ＤＢ
１２３  ユーザ情報ＤＢ
２０１  端末装置
２０２  端末装置
２７１  地図情報ＤＢ
２８１  類似判定部
２８２  決定部
２８３  コンテンツ判定部
Ｇ１  コンテンツ画像
Ｇ２  コンテンツ画像
Ｇ１１  コンテンツ画像
Ｇ１００  現在位置画像
【図１】
2020017057.tif 000003
【図２】
2020017057.tif 000004
【図３】
2020017057.tif 000005
【図４】
2020017057.tif 000006
【図５】
2020017057.tif 000007
【図６】
2020017057.tif 000008
【図７】
2020017057.tif 000009